(57)【要約】【課題】  クランプ回路への入力信号の直流電圧レベルを所定のクランプ電圧にクランプするまでに要する時間を短縮する。【解決手段】  両端がアナログ信号の入力ノードおよび出力ノードとなるコンデンサと、前記アナログ信号をクランプするクランプ電圧を定める基準電圧がアノードに印加され、カソードが前記出力ノードに接続されるダイオードと、一端が前記出力ノードに接続される抵抗と、前記抵抗と直列に接続され、前記抵抗と接続されていない側に前記クランプ電圧より低い第１の電圧が印加される第１のトランジスタと、前記基準電圧が前記ダイオードのアノードに印加されていない場合に前記第１のトランジスタをオンするスイッチ回路と、を有する。【選択図】  図１
2010081384.tif 000002
【特許請求の範囲】
【請求項１】
両端がアナログ信号の入力ノードおよび出力ノードとなるコンデンサと、
前記アナログ信号をクランプするクランプ電圧を定める基準電圧がアノードに印加され、カソードが前記出力ノードに接続されるダイオードと、
一端が前記出力ノードに接続される抵抗と、
前記抵抗と直列に接続され、前記抵抗と接続されていない側に前記クランプ電圧より低い第１の電圧が印加される第１のトランジスタと、
前記基準電圧が前記ダイオードのアノードに印加されていない場合に前記第１のトランジスタをオンするスイッチ回路と、
を有することを特徴とするクランプ回路。
【請求項２】
前記スイッチ回路は、前記基準電圧が前記ダイオードのアノードに印加されていない場合には、前記第１のトランジスタの制御電極を前記第１の電圧にプルダウンすることによって前記第１のトランジスタをオンし、前記基準電圧が前記ダイオードのアノードに印加されている場合には、前記第１のトランジスタの制御電極に前記第１の電圧より高い第２の電圧を印加することによって前記第１のトランジスタをオフすることを特徴とする請求項１に記載のクランプ回路。
【請求項３】
請求項１に記載のクランプ回路と、
信号検出回路と、
を備え、
前記クランプ回路は、映像信号が前記入力ノードに入力され、前記映像信号の直流電圧レベルを前記クランプ電圧にクランプして前記出力ノードから出力し、
前記信号検出回路は、前記クランプ回路の出力信号に含まれる水平同期信号成分を検出し、
前記スイッチ回路は、前記信号検出回路が前記水平同期信号成分を検出しない場合にも前記第１のトランジスタをオンすることを特徴とする映像信号処理装置。
【請求項４】
請求項１または請求項２に記載のクランプ回路と、
バッファ回路と、
信号検出回路と、
を備え、
前記クランプ回路は、映像信号が前記入力ノードに入力され、前記映像信号の直流電圧レベルを前記クランプ電圧にクランプして前記出力ノードから出力し、
前記バッファ回路は、エミッタ電流が流入する電流源が接続された第２のトランジスタを含み、前記第２のトランジスタのベースに入力される前記クランプ回路の出力信号を増幅して出力し、
前記信号検出回路は、前記バッファ回路の出力信号に含まれる水平同期信号成分を検出し、
前記信号検出回路が前記水平同期信号成分を検出しない場合には、前記電流源に流入する前記第２のトランジスタのエミッタ電流を大きくすることによって、前記第２のトランジスタのベース電流を大きくすることを特徴とする映像信号処理装置。
【発明の詳細な説明】
【技術分野】
【０００１】
本発明は、クランプ回路および映像信号処理装置に関する。
【背景技術】
【０００２】
アナログテレビジョン放送における映像信号（ビデオ信号）は、輝度信号、色信号、および同期信号が合成された複合映像信号（コンポジット映像信号）となっており、輝度情報および同期パルスが直流電圧レベルとして表れ、色情報が高周波成分として表れる。そのため、一般的な映像信号処理装置は、入力される映像信号の直流電圧レベルを所定のクランプ電圧にクランプし、直流電圧レベルの変動範囲を一定に保つためのクランプ回路を有している。例えば、特許文献１の図５では、同期信号を処理して生成するクランプパルスを用いないクランプ回路が開示されている。
【０００３】
このようにして、映像信号の直流電圧レベルをクランプすることによって、直流電圧レベルの変動範囲が一定に保たれ、輝度情報および同期パルスを得ることができる。
【特許文献１】特開平６−１６４９８９号公報
【発明の開示】
【発明が解決しようとする課題】
【０００４】
ここで、上記特許文献１の図５と同様の構成となっているクランプ回路１ｂの出力信号が、バッファ回路２ａのような入力インピーダンスが高い回路に入力される映像信号処理装置の構成例を図７に示す。図７の映像信号処理装置において、例えば図８に示すように、クランプ回路１ｂに入力される映像信号Ｖｉｎの直流電圧レベルが下降し、出力電圧Ｖ１がクランプ電圧Ｖｒ１より低くなった場合、ダイオード１１に電流が流れるため、出力電圧Ｖ１は、速やかにクランプ電圧Ｖｒ１まで引き上げられる。反対に、例えば図９に示すように、出力電圧Ｖ１がクランプ電圧Ｖｒ１より高くなった場合、ダイオード１１に電流が流れないため、出力電圧Ｖ１は、バッファ回路２ａのトランジスタ２０に流入する小さなベース電流Ｉｂによって、ゆっくりとしか引き下げることができない。また、例えば図１０（Ｂ）に示すように、ハイ・レベルの省電力信号ＰＳによってクランプ回路１ｂの動作が停止する映像信号処理装置において、クランプ回路１ｂが動作を再開する時点で出力電圧Ｖ１がクランプ電圧Ｖｒ１より高くなっている場合にも、出力電圧Ｖ１は、ゆっくりとしか引き下げることができない。
【０００５】
そのため、クランプ回路への入力信号の直流電圧レベルが変動する場合や、クランプ回路が動作を停止した後に再開する場合に、入力信号の直流電圧レベルを所定のクランプ電圧にクランプするまでに要する時間が長くなる。
【課題を解決するための手段】
【０００６】
前述した課題を解決する主たる本発明は、両端がアナログ信号の入力ノードおよび出力ノードとなるコンデンサと、前記アナログ信号をクランプするクランプ電圧を定める基準電圧がアノードに印加され、カソードが前記出力ノードに接続されるダイオードと、一端が前記出力ノードに接続される抵抗と、前記抵抗と直列に接続され、前記抵抗と接続されていない側に前記クランプ電圧より低い第１の電圧が印加される第１のトランジスタと、前記基準電圧が前記ダイオードのアノードに印加されていない場合に前記第１のトランジスタをオンするスイッチ回路と、を有することを特徴とするクランプ回路である。
【０００７】
本発明の他の特徴については、添付図面及び本明細書の記載により明らかとなる。
【発明の効果】
【０００８】
本発明によれば、クランプ回路への入力信号の直流電圧レベルを所定のクランプ電圧にクランプするまでに要する時間を短縮することができる。
【発明を実施するための最良の形態】
【０００９】
本明細書および添付図面の記載により、少なくとも以下の事項が明らかとなる。
【００１０】
＜第１実施形態＞
以下、図１を参照して、本発明の第１の実施形態における映像信号処理装置の構成について説明する。
【００１１】
図１に示されている映像信号処理装置は、クランプ回路１ａ、バッファ回路２ａ、およびインバータ（反転回路）４０で構成されている。なお、クランプ回路１ａおよびバッファ回路２ａには、いずれも各回路の動作および停止を制御するための省電力信号ＰＳが入力されている。
【００１２】
クランプ回路１ａは、本実施形態では、例えばコンデンサ１０、ダイオード１１、抵抗１２、１４、ＰＮＰバイポーラトランジスタである第１のトランジスタ１３、および、半導体スイッチなどのオン・オフ制御可能なスイッチ１５で構成されている。コンデンサ１０は、一端に映像信号Ｖｉｎが入力され、他端がクランプ回路１ａの出力となっている。また、ダイオード１１は、アノードに基準電圧（Ｖｒ１＋ＶＤ）が印加され、カソードがクランプ回路１ａの出力に接続されている。なお、Ｖｒ１はクランプ回路１ａのクランプ電圧、ＶＤはダイオード１１の順方向降下電圧である。さらに、トランジスタ１３は、エミッタが抵抗１２を介してクランプ回路１ａの出力に接続され、コレクタにクランプ電圧Ｖｒ１より低いグランド電圧（第１の電圧）が印加され、ベースが抵抗１４によってグランド電圧にプルダウンされている。そして、省電力信号ＰＳの反転信号によってオン・オフ制御されるスイッチ１５は、一端にグランド電圧より高い電源電圧ＶＣＣ（第２の電圧）が印加され、他端がトランジスタ１３のベースおよび抵抗１４の接続点に接続されている。
【００１３】
バッファ回路２ａは、例えば、ＮＰＮバイポーラトランジスタであるトランジスタ２０、ＰＮＰバイポーラトランジスタであるトランジスタ２２、および電流源２１、２３を含んで構成されている。直列に接続されたトランジスタ２０および電流源２１は、両端にそれぞれ電源電圧ＶＣＣおよびグランド電圧が印加されてエミッタフォロワ回路を構成しており、トランジスタ２０のベースは、クランプ回路１ａの出力に接続されている。また、直列に接続された電流源２３およびトランジスタ２２は、両端にそれぞれ電源電圧ＶＣＣおよびグランド電圧が印加されてエミッタフォロワ回路を構成しており、トランジスタ２２のベースは、トランジスタ２０のエミッタに接続されている。そして、トランジスタ２２のエミッタは、バッファ回路２ａの出力となっている。
【００１４】
次に、本実施形態における映像信号処理装置の動作について説明する。以下、省電力信号ＰＳがロー・レベルおよびハイ・レベルである状態を、それぞれ通常モードおよび省電力モードと称することとし、クランプ回路１ａおよびバッファ回路２ａは、通常モード時に通常の動作を行い、省電力モード時に動作を停止するものとする。また、本実施形態のクランプ回路１ａは、通常モード時にスイッチ１５がオンとなり、省電力モード時にスイッチ１５がオフとなるものとする。
【００１５】
まず、通常モード時の動作について説明する。なお、通常モード時には、スイッチ１５がオンとなり、電源電圧ＶＣＣから流入するベース電流によってトランジスタ１３がオフとなるため、本実施形態の映像信号処理装置の通常モード時の動作は、図７に示した一般的なクランプ回路を有する映像信号処理装置の動作と同様である。
【００１６】
クランプ回路１ａにおいて、ダイオード１１に電流が流れている間、出力電圧Ｖ１はクランプ電圧Ｖｒ１に等しいため、入力される映像信号Ｖｉｎの電圧もＶｉｎと表すこととすると、コンデンサ１０の両端電圧ＶＣは、
ＶＣ＝Ｖｒ１−Ｖｉｎ
となる。また、ダイオード１１に電流が流れなくなると、コンデンサ１０の両端電圧ＶＣは変化しなくなるため、十分に時間が経過した後の定常状態におけるコンデンサ１０の両端電圧ＶＣ１は、
ＶＣ１＝Ｖｒ１−ＭＩＮ（Ｖｉｎ）
となる。なお、ＭＩＮ（Ｖｉｎ）は入力電圧Ｖｉｎの最小値である。したがって、定常状態における出力電圧Ｖ１は、
Ｖ１＝Ｖｉｎ＋ＶＣ１
＝Ｖｒ１＋Ｖｉｎ−ＭＩＮ（Ｖｉｎ）
となり、クランプ回路１ａは、最低電圧がクランプ電圧Ｖｒ１となるよう、入力信号の振幅を推移させた信号を出力する。
【００１７】
このようにして、クランプ回路１ａは、通常モード時には、入力される映像信号Ｖｉｎの直流電圧レベルをクランプ電圧Ｖｒ１にクランプして出力する。また、例えば図８に示すように、映像信号Ｖｉｎの直流電圧レベルが下降し、出力電圧Ｖ１がクランプ電圧Ｖｒ１より低くなった場合には、ダイオード１１に電流が流れるため、出力電圧Ｖ１は、速やかにクランプ電圧Ｖｒ１まで引き上げられる。反対に、例えば図９に示すように、出力電圧Ｖ１がクランプ電圧Ｖｒ１より高くなった場合には、ダイオード１１に電流が流れないため、出力電圧Ｖ１は、バッファ回路２ａのトランジスタ２０に流入する小さなベース電流Ｉｂによって、ゆっくりと引き下げられる。
【００１８】
クランプ回路１ａの出力信号は、バッファ回路２ａのトランジスタ２０のベースに入力され、トランジスタ２０を含むエミッタフォロワ回路によって電流増幅されたうえで、トランジスタ２２のベースに入力され、さらにトランジスタ２２を含むエミッタフォロワ回路によって電流増幅されたうえで、バッファ回路２ａの出力信号Ｖｏｕｔとして出力される。また、トランジスタ２０および２２のベース・エミッタ間電圧を相殺するように、各トランジスタの飽和電流およびエミッタ電流を設定することによって、入力電圧および出力電圧を等しくすることができる。このようにして、バッファ回路２ａは、入力信号に等しい出力信号を出力するバッファアンプとして機能する。
【００１９】
前述したように、省電力モード時には、映像信号処理装置の各回路が動作を停止するため、図７に示した一般的なクランプ回路１ｂでは、コンデンサ１０は放電されず、省電力モード移行時の両端電圧ＶＣ０が保持される。ここで、省電力モード時に映像信号Ｖｉｎの直流電圧レベルが電圧Ｖ０だけ変動するものとしても、例えば図１０（Ａ）に示すように、電圧（ＶＣ０＋Ｖ０）がクランプ電圧Ｖｒ１より低い場合には、省電力モードから通常モードになるとダイオード１１に電流が流れるため、クランプ回路１ｂの出力電圧Ｖ１は、速やかにクランプ電圧Ｖｒ１まで引き上げられる。反対に、例えば図１０（Ｂ）に示すように、電圧（ＶＣ０＋Ｖ０）がクランプ電圧Ｖｒ１より高い場合には、省電力モードから通常モードになってもダイオード１１に電流が流れないため、クランプ回路１ｂの出力電圧Ｖ１は、バッファ回路２ａのトランジスタ２０に流入する小さなベース電流Ｉｂによって、ゆっくりとしか引き下げることができない。そのため、一般的なクランプ回路１ｂでは、入力される映像信号Ｖｉｎの直流電圧レベルをクランプ電圧Ｖｒ１にクランプするまでに要する時間が長くなる場合がある。
【００２０】
本実施形態のクランプ回路１ａでは、省電力モードから通常モードへの移行時に出力電圧Ｖ１を引き下げる必要がなくなるよう、省電力モード時にコンデンサ１０を放電している。以下、図１および図２を参照して、クランプ回路１ａの省電力モード時の動作について説明する。
【００２１】
省電力信号ＰＳがハイ・レベルとなり、省電力モードになると、クランプ回路１ａは動作を停止し、ダイオード１１のアノードに基準電圧（Ｖｒ１＋ＶＤ）が印加されなくなる。また、トランジスタ１３は、電源電圧ＶＣＣがスイッチ１５を介してベースに印加されなくなるため、プルダウン抵抗１４によってオンとなり、コンデンサ１０は、抵抗１２およびトランジスタ１３を介して放電され、そして、出力電圧Ｖ１は、グランド電圧に近づいていく。さらに、例えば図２に示すように、省電力モード時に映像信号Ｖｉｎの直流電圧レベルが電圧Ｖ０だけ上昇した場合、出力電圧Ｖ１もコンデンサ１０を介して一旦上昇するが、トランジスタ１３がオンとなるため、出力電圧Ｖ１は再びグランド電圧に近づいていく。
【００２２】
このようにして、クランプ回路１ａは、省電力モード時には、出力電圧Ｖ１をグランド電圧付近まで引き下げ、省電力モードから通常モードへの移行時には、出力電圧Ｖ１を速やかにクランプ電圧Ｖｒ１まで引き上げるため、入力される映像信号Ｖｉｎの直流電圧レベルをクランプ電圧Ｖｒ１にクランプするまでに要する時間が短縮される。なお、図２においては、省電力モード時に出力電圧Ｖ１がグランド電圧まで下降しているが、実際には、出力電圧Ｖ１がグランド電圧まで下降する前に、トランジスタ１３には電流がほとんど流れなくなるため、出力電圧Ｖ１は、グランド電圧より若干高い電圧までしか下降しない。
【００２３】
＜第２実施形態＞
以下、図３を参照して、本発明の第２の実施形態における映像信号処理装置の構成について説明する。
【００２４】
図３に示されている映像信号処理装置には、第１実施形態の映像信号処理装置に対して、信号検出回路３およびＡＮＤ回路（論理積回路）４１が追加されている。また、クランプ回路１ａのスイッチ１５は、第１実施形態では、省電力信号ＰＳの反転信号によってオン・オフ制御されるのに対して、本実施形態では、省電力信号ＰＳの反転信号および信号検出回路３の出力信号が入力されるＡＮＤ回路４１の出力信号によってオン・オフ制御される。なお、信号検出回路３には、クランプ回路１ａおよびバッファ回路２ａと同様に、省電力信号ＰＳが入力されている。
【００２５】
信号検出回路３は、例えばＬＰＦ（Low-Pass Filter：低域通過フィルタ）３０、増幅回路３１、比較器３２、および同期検出回路３３を含んで構成されている。ＬＰＦ３０には、バッファ回路２ａの出力信号Ｖｏｕｔが入力され、ＬＰＦ３０の出力信号は、増幅回路３１に入力されている。また、比較器３２の非反転入力には、増幅回路３１の出力信号が入力され、反転入力には、基準電圧Ｖｒ２が印加されている。そして、同期検出回路３３には、比較器３２の出力信号が入力され、同期検出回路３３の出力は、信号検出回路３の出力となっている。
【００２６】
次に、本実施形態における映像信号処理装置の動作について説明する。以下、信号検出回路３は、クランプ回路１ａおよびバッファ回路２ａと同様に、通常モード時に通常の動作を行い、省電力モード時に動作を停止するものとする。また、本実施形態のクランプ回路１ａは、ＡＮＤ回路４１の出力信号がハイ・レベルの場合にスイッチ１５がオンとなり、ＡＮＤ回路４１の出力信号がロー・レベルの場合にスイッチ１５がオフとなるものとする。したがって、省電力モード時には、映像信号処理装置の各回路が動作を停止し、クランプ回路１ａのトランジスタ１３がオンとなるため、本実施形態の映像信号処理装置の省電力モード時の動作は、第１実施形態の映像信号処理装置の動作と同様である。以下、図３および図４を参照して、本実施形態における映像信号処理装置の通常モード時の動作について説明する。
【００２７】
前述したように、クランプ回路１ａは、最低電圧がクランプ電圧Ｖｒ１となるよう、入力信号の振幅を推移させた信号を出力するため、映像信号Ｖｉｎが入力された場合の出力信号は、同期信号レベルがクランプ電圧Ｖｒ１に等しくなる。また、バッファ回路２ａは、バッファアンプとして機能し、クランプ回路１ａの出力信号を電流増幅したうえで、出力信号Ｖｏｕｔとして出力する。
【００２８】
信号検出回路３のＬＰＦ３０は、バッファ回路２ａの出力信号Ｖｏｕｔに含まれる高周波の色信号成分を除去し、同期信号成分を含む輝度信号ＶＹを出力する。また、増幅回路３１は、例えば演算増幅器などを用いて、輝度信号ＶＹの電圧を非反転増幅する。この場合、輝度信号ＶＹのペデスタルレベル（ブランキングレベル）の電圧ＶＰ１が、演算増幅器の最大出力電圧ＶＭより若干低い電圧ＶＰ２となるように、増幅回路３１の電圧増幅率を設定することによって、増幅回路３１の出力電圧Ｖ２では、輝度信号ＶＹに含まれていた同期信号成分がより強調される。さらに、比較器３２の出力信号ＨＳは、増幅回路３１の出力電圧Ｖ２が基準電圧Ｖｒ２より高い場合にハイ・レベルとなり、増幅回路３１の出力電圧Ｖ２が基準電圧Ｖｒ２より低い場合にロー・レベルとなる。したがって、基準電圧Ｖｒ２を、増幅回路３１によって増幅されたペデスタルレベルの電圧ＶＰ２以下に設定することによって、輝度信号ＶＹに含まれていた同期信号成分は、負のパルス信号として比較器３２の出力信号ＨＳに表れる。そして、同期検出回路３３は、比較器３２の出力信号ＨＳに水平同期信号成分が含まれている間、ハイ・レベルの同期検出信号ＶＨを出力する。水平同期信号は水平周期ＴＨごとの負のパルス信号であるので、同期検出回路３３は、例えば、比較器３２の出力信号ＨＳが水平周期ＴＨと同じであるか若干長い所定の基準時間Ｔｔｈ以上の間ハイ・レベルである場合に、水平同期信号成分が含まれていないと判定し、所定の時間Ｔｏｆｆの間ロー・レベルの同期検出信号ＶＨを出力する。
【００２９】
このようにして、水平同期信号成分を含む映像信号Ｖｉｎがクランプ回路１ａに入力され、バッファ回路２ａから直流電圧レベルがクランプ電圧Ｖｒ１にクランプされた出力信号Ｖｏｕｔが出力されている間、信号検出回路３から出力される同期検出信号ＶＨは、ハイ・レベルに保たれる。反対に、映像信号Ｖｉｎがクランプ回路１ａに入力されなくなった場合や、バッファ回路２ａの出力信号Ｖｏｕｔの直流電圧レベルがクランプ電圧Ｖｒ１より高くなった場合には、同期検出信号ＶＨは、ロー・レベルとなる。
【００３０】
図４の短破線の区間は、映像信号Ｖｉｎが一旦クランプ回路１ａに入力されなくなった後、電圧Ｖ０（＞ＶＰ１−Ｖｒ１）だけ高い直流電圧レベルを有する映像信号Ｖｉｎが入力される場合、または、映像信号Ｖｉｎの直流電圧レベルが当該電圧Ｖ０だけ上昇する場合を示している。この場合、信号検出回路３の増幅回路３１の出力電圧Ｖ２が基準電圧Ｖｒ２より高くなるため、比較器３２の出力信号ＨＳが基準時間Ｔｔｈ以上の間ハイ・レベルとなり、同期検出信号ＶＨはロー・レベルとなる。また、同期検出信号ＶＨがロー・レベルとなると、ＡＮＤ回路４１の出力信号がロー・レベルとなるため、クランプ回路１ａのスイッチ１５がオフとなり、トランジスタ１３は、プルダウン抵抗１４によってオンとなる。前述したように、トランジスタ１３がオンとなると、クランプ回路１ａの出力電圧Ｖ１はグランド電圧に近づいていくため、増幅回路３１の出力電圧Ｖ２は、再び基準電圧Ｖｒ２より低くなる。そして、時間Ｔｏｆｆが経過すると、同期検出信号ＶＨがハイ・レベルとなり、トランジスタ１３は再びオフとなる。なお、時間Ｔｏｆｆは、クランプ回路１ａの出力電圧Ｖ１が引き下げられ、増幅回路３１の出力電圧Ｖ２が再び基準電圧Ｖｒ２より低くなるのに十分な長さに設定する必要がある。
【００３１】
このようにして、クランプ回路１ａは、通常モード時に入力される映像信号Ｖｉｎの直流電圧レベルが上昇した場合には、省電力モード時と同様に出力電圧Ｖ１を引き下げるため、映像信号Ｖｉｎの直流電圧レベルを再びクランプ電圧Ｖｒ１にクランプするまでに要する時間が短縮される。なお、図４においては、クランプ回路１ａの出力電圧Ｖ１の直流電圧レベルは、同期検出信号ＶＨがロー・レベルである期間中にクランプ電圧Ｖｒ１まで下降しているが、実際には、当該期間中にグランド電圧付近まで下降してしまい、トランジスタ１３が再びオフとなった後に、速やかにクランプ電圧Ｖｒ１まで引き上げられる場合もある。
【００３２】
＜第３実施形態＞
以下、図５を参照して、本発明の第３の実施形態における映像信号処理装置の構成について説明する。
【００３３】
図５に示されている映像信号処理装置は、第２実施形態のバッファ回路２ａがバッファ回路２ｂとなっている。また、バッファ回路２ｂは、バッファ回路２ａの電流源２１が、信号検出回路３から出力される同期検出信号ＶＨによって電流量を制御可能な電流源２４となっている。なお、本実施形態の映像信号処理装置は、第１実施形態と同様に、クランプ回路１ａのスイッチ１５が省電力信号ＰＳの反転信号によってオン・オフ制御されるため、第２実施形態のＡＮＤ回路４１を有しない。
【００３４】
本実施形態において、バッファ回路２ｂの電流源２４は、同期検出信号ＶＨがロー・レベルの場合により大きな電流を流すものとすると、通常モード時にクランプ回路１ａに入力される映像信号Ｖｉｎの直流電圧レベルが上昇した場合には、同期検出信号ＶＨがロー・レベルとなり、電流源２４に流入するトランジスタ２０のエミッタ電流Ｉｅ１が大きくなる。この場合、トランジスタ２０に流入するベース電流Ｉｂが大きくなり、クランプ回路１ａの出力電圧Ｖ１は、当該ベース電流Ｉｂによって速やかに引き下げられる。したがって、本実施形態では、同期検出信号ＶＨがロー・レベルの場合にクランプ回路１ａの出力電圧Ｖ１を引き下げるという特徴は第２実施形態の場合と同様であり、本実施形態の映像信号処理装置の動作は、当該出力電圧Ｖ１を引き下げる方法を除いて、第２実施形態の映像信号処理装置の動作と同様である。
【００３５】
前述したように、クランプ回路１ａにおいて、エミッタが抵抗１２を介してクランプ回路１ａの出力に接続され、コレクタにグランド電圧が印加されたトランジスタ１３が、ダイオード１１のアノードに基準電圧（Ｖｒ１＋ＶＤ）が印加されない省電力モード時にオンとなることにより、出力電圧Ｖ１をグランド電圧付近まで引き下げ、入力される映像信号Ｖｉｎの直流電圧レベルをクランプ電圧Ｖｒ１にクランプするまでに要する時間を短縮ことができる。
【００３６】
また、省電力モード時には、トランジスタ１３のベースを抵抗１４によってグランド電圧にプルダウンすることによってトランジスタ１３をオンし、通常モード時には、トランジスタ１３のベースにスイッチ１５を介して電源電圧ＶＣＣを印加することによってトランジスタ１３をオフすることにより、省電力モード時に電源電圧ＶＣＣが供給されない場合や、さらにスイッチ１５をオン・オフ制御できない場合であっても、トランジスタ１３をオンし、クランプ回路１ａの出力電圧Ｖ１をグランド電圧付近まで引き下げることができる。
【００３７】
また、図３に示した映像信号処理装置において、信号検出回路３がクランプ回路１ａの出力信号に含まれる水平同期信号成分を検出できず、ロー・レベルの同期検出信号ＶＨを出力する場合にも、トランジスタ１３をオンすることにより、通常モード時にクランプ回路１ａに入力される映像信号Ｖｉｎの直流電圧レベルが上昇した場合にも出力電圧Ｖ１を引き下げ、映像信号Ｖｉｎの直流電圧レベルを再びクランプ電圧Ｖｒ１にクランプするまでに要する時間を短縮することができる。
【００３８】
また、図５に示した映像信号処理装置において、信号検出回路３がロー・レベルの同期検出信号ＶＨを出力する場合には、バッファ回路２ｂの電流源２４に流入するトランジスタ２０のエミッタ電流Ｉｅ１を大きくすることにより、クランプ回路１ａの出力からトランジスタ２０に流入するベース電流Ｉｂが大きくなり、クランプ回路１ａの出力電圧Ｖ１を引き下げることができる。
【００３９】
なお、上記実施形態は、本発明の理解を容易にするためのものであり、本発明を限定して解釈するためのものではない。本発明は、その趣旨を逸脱することなく、変更、改良され得るととともに、本発明にはその等価物も含まれる。
【００４０】
上記第１実施形態では、クランプ回路１ａは、映像信号Ｖｉｎが入力され、バッファ回路２ａに出力しているが、これに限定されるものではない。第１実施形態のクランプ回路１ａは、アナログ信号が入力され、入力インピーダンスが高い回路に出力していれば、映像信号処理装置以外の装置にも適用可能である。
【００４１】
上記実施形態では、省電力信号ＰＳがハイ・レベルである省電力モード時に、映像信号処理装置の各回路が動作を停止しているが、これに限定されるものではない。クランプ回路１ａは、省電力モード時に少なくともダイオード１１のアノードに基準電圧（Ｖｒ１＋ＶＤ）が印加されなくなればよく、省電力モード時にも電源電圧ＶＣＣが供給され、スイッチ１５をオン・オフ制御できる場合には、省電力信号ＰＳの反転信号がロー・レベルとなるため、スイッチ１５がオンとなり、この場合の動作も、上記実施形態の場合と同様である。
【００４２】
上記第２実施形態では、信号検出回路３がクランプ回路１ａの出力信号に含まれる水平同期信号成分を検出できず、ロー・レベルの同期検出信号ＶＨを出力する場合にトランジスタ１３がオンとなっているが、これに限定されるものではない。例えば、クランプ回路１ａにアナログ信号を入力する他の装置が、当該アナログ信号を出力している間ハイ・レベルとなるような信号Ｓｉｎを出力する場合には、図６に示すように、当該信号Ｓｉｎを同期検出信号ＶＨの代わりにＡＮＤ回路４１に入力してもよい。この場合、クランプ回路１ａの出力電圧Ｖ１は、アナログ信号が入力されていない間、グランド電圧付近まで引き下げられ、再びアナログ信号が入力されると、速やかにクランプ電圧Ｖｒ１まで引き上げられる。
【００４３】
上記実施形態では、信号検出回路３は、一例として図３に示したような構成となっているが、これに限定されるものではない。信号検出回路３は、クランプ回路１ａの出力信号に含まれる同期信号成分を検出する回路であり、例えば、ＬＰＦ３０の代わりにアナログメモリ回路を用いたＹ／Ｃ分離回路としてもよく、上記実施形態において、輝度信号ＶＹから同期信号成分のみを取り出している増幅回路３１および比較器３２や、水平周期ＴＨごとの負のパルス信号である水平同期信号成分を検出している同期検出回路３３などの構成および組み合わせも適宜変更され得る。
【図面の簡単な説明】
【００４４】
【図１】本発明の第１実施形態における映像信号処理装置の構成を示す回路ブロック図である。
【図２】本発明の第１実施形態におけるクランプ回路の省電力モード時の動作を説明する図である。
【図３】本発明の第２実施形態における映像信号処理装置の構成を示す回路ブロック図である。
【図４】本発明の第２実施形態における映像信号処理装置の通常モード時の動作を説明する図である。
【図５】本発明の第３実施形態における映像信号処理装置の構成を示す回路ブロック図である。
【図６】本発明の映像信号処理装置の他の構成例を示す回路ブロック図である。
【図７】一般的なクランプ回路を有する映像信号処理装置の構成の一例を示す回路ブロック図である。
【図８】一般的なクランプ回路の通常モード時の一動作を説明する図である。
【図９】一般的なクランプ回路の通常モード時の他の動作を説明する図である。
【図１０】一般的なクランプ回路の省電力モード時の動作を説明する図である。
【符号の説明】
【００４５】
１ａ、１ｂ  クランプ回路
２ａ、２ｂ  バッファ回路
３    信号検出回路
１０  コンデンサ
１１  ダイオード
１２、１４  抵抗
１３  トランジスタ
１５  スイッチ
２０、２２  トランジスタ
２１、２３、２４  電流源
３０  ＬＰＦ（低域通過フィルタ）
３１  増幅回路
３２  比較器
３３  同期検出回路
４０  インバータ（反転回路）
４１  ＡＮＤ回路（論理積回路）
【図１】
2010081384.tif 000003
【図２】
2010081384.tif 000004
【図３】
2010081384.tif 000005
【図４】
2010081384.tif 000006
【図５】
2010081384.tif 000007
【図６】
2010081384.tif 000008
【図７】
2010081384.tif 000009
【図８】
2010081384.tif 000010
【図９】
2010081384.tif 000011
【図１０】
2010081384.tif 000012